(57)【要約】【課題】前頭部、頭頂部及び後頭部における頭皮全体の緊張を緩和し、頭皮への血流を促進させて脱毛を抑制し、育毛、養毛が可能な育毛補助具（１００）を提供することである。【解決手段】育毛補助具（１００）は、伸縮性を有する素材からなる左右一対の本体部（１０）、（２０）と、該本体部（１０）、（２０）の前方部に取り付けられる長さ調整ベルト（１１）、（２１）と、前記本体部（１０）、（２０）の後方部に取り付けられる固定ベルト（１２）、（２２）と、前記長さ調整ベルト（１１）、（２１）と前記固定ベルト（１２）、（２２）間の本体部（１０）、（２０）に配設される第１の頭皮引上げベルト（１３）、（２３）、第２の頭皮引上げベルト（１４）、（２４）及び第３の頭皮引上げベルト（１５）、（２５）とから構成されたことを特徴とする。【選択図】図１
2014144030.tif 000002
【特許請求の範囲】
【請求項１】
伸縮性を有する素材からなる左右一対の本体部（１０）、（２０）と、該本体部（１０）、（２０）の前方部に取り付けられる長さ調整ベルト（１１）、（２１）と、前記本体部（１０）、（２０）の後方部に取り付けられる固定ベルト（１２）、（２２）と、前記長さ調整ベルト（１１）、（２１）と前記固定ベルト（１２）、（２２）間の本体部（１０）、（２０）に配設される第１の頭皮引上げベルト（１３）、（２３）、第２の頭皮引上げベルト（１４）、（２４）、第３の頭皮引上げベルト（１５）、（２５）及び第４の頭皮引上げベルト（１６）、（２６）とから構成されたことを特徴とする育毛補助具（１００）。
【請求項２】
前記左右の本体部（１０）、（２０）のほぼ中央又は全面には側頭部への密着性、防滑性及び通気性を高めるための１〜複数の穴（１０ｈ）、（２０ｈ）を設けるか又は／及び網状としていることを特徴とする請求項１に記載された育毛補助具（１００）。
【請求項３】
前記左右の本体部（１０）、（２０）は、前記本体部（１０）、（２０）の上周縁から下方に向けて形成された複数のスリット（１０ｓ）、（２０ｓ）により複数に区画されると共に、前記区画には前記長さ調整ベルト（１１）、（２１）、固定ベルト（１２）、（２２）、第１の頭皮引上げベルト（１３）、（２３）、第２の頭皮引上げベルト（１４）、（２４）、第３の頭皮引上げベルト（１５）、（２５）及び第４の頭皮引上げベルト（１６）、（２６）を挿通するための挿通溝（１０ｍ）、（２０ｍ）が設けられていることを特徴とする請求項１又は請求項２に記載された育毛補助具（１００）。
【請求項４】
前記長さ調整ベルト（１１）、（２１）、固定ベルト（１２）、（２２）及び第１の頭皮引上げベルト（１３）、（２３）、第２の頭皮引上げベルト（１４）、（２４）、第３の頭皮引上げベルト（１５）、（２５）の一端は、それぞれ前記本体部（１０）、（２０）の前記挿通溝（１０ｍ）、（２０ｍ）に挿通され、固着具（Ｋ）によって固着されていることを特徴とする請求項１〜請求項３の何れかに記載された育毛補助具（１００）。
【請求項５】
長さ調整ベルト（１１）、（２１）には、長さ調整用の調整具（Ｂ）が備えられると共に、固定ベルト（１２）、（２２）、第１の頭皮引上げベルト（１３）、（２３）、第２の頭皮引上げベルト（１４）、（２４）、第３の頭皮引上げベルト（１５）、（２５）及び第４の頭皮引上げベルト（１６）、（２６）は、それぞれ雌雄何れかの面ファスナー（Ｍ１）、（Ｍ２）付きの帯状体か又は他の係止具が取り付けられた帯状体であることを特徴とする請求項１、請求項３又は請求項４の何れかに記載された育毛補助具（１００）。
【発明の詳細な説明】
【技術分野】
【０００１】
本発明は、頭皮、頭筋の緊張を緩和し、頭皮の血流を高めて育毛、発毛を促進する育毛補助具（１００）に関する。
【背景技術】
【０００２】
一般的に男性が中年になると、疾病等を除けば頭髪が減少してくるものであり、多くの男性の悩みの種となっている。その悩みを抱える人のためにめに多種類の育毛・養毛剤が販売され、かつ各種育毛法や育毛器具が提案されている。例えば、特許文献１（第１頁、図４参照）の「頭部改良血行増進具」及び特許文献２（第１頁、図１参照）の「磁石付脱毛予防用頭皮弛緩具」等であり、特許文献１は、ゴム帯と、留め具から構成され、ゴム帯の両端は、それぞれ２つに割れており、割れたゴム帯のそれぞれの部分が、留め具に空けられた４つの穴をそれぞれ貫通し、折り返し紐でくくられ、それぞれ留め具に接続していることを特徴としている。また特許文献２は、伸縮性に富んだ材質を用いて人体の頭皮を保持し尚且、頭頂方向に引上げる構造を有する脱毛予防用頭皮弛緩具上述の頭皮弛緩具を構成する各伸縮材及びその周辺部に、永久磁石を取り付けたことを特徴としている。
【０００３】
しかしながら、特許文献１は、ゴム帯で側頭部と頭頂を締め付けないしは押圧することになり、ゴム帯が当接している部分は血流が増すよりむしろ血流を滞留させる結果となり、逆効果となる欠点がる。また特許文献２は、帯バンドに永久磁石を取り付けているが、頭部ないし頭皮は皮下脂肪が薄いため、磁石のような固い物質が直接頭皮に触れている場合、外部から何らかの衝撃が加わると頭皮を傷つける恐れがあり、かつこれを着用した状態での就寝はできない等の不具合があり、実用化は困難と考えられる。
【先行技術文献】
【特許文献】
【０００４】
【特許文献１】特開２００１−１９８１５３号公報
【特許文献２】特開平１０−１０８９１４号公報
【発明の概要】
【発明が解決しようとする課題】
【０００５】
（１）第１課題は、前頭部、頭頂部及び後頭部における頭皮全体の緊張を緩和し、頭皮への血流を促進させて脱毛を抑制し、育毛、養毛が可能な育毛補助具を提供することである。
（２）第２課題は、人の頭囲の大小に対応可能であると共に、着用時においては側頭部への違和感がない汎用性ある育毛補助具を提供することである。
（３）第３課題は、着用者が所望する頭部の部位に応じて各頭皮引上げベルトの強弱を選択して調整可能な育毛補助具を提供することである。
（４）第４課題は、外出時以外は屋内で装着したままの状態で食事、読書又は就寝等が可能で、長時間にわたり頭皮の緊張を緩和することが可能な育毛補助具を提供することである。
（５）第５課題は、側頭部の蒸れや発汗を抑制し、使用頻度に応じて洗濯機や手洗いによるクリーニングが可能な衛生的な育毛補助具を提供することである。
【課題を解決するための手段】
【０００６】
課題を解決するための手段は、本願の［特許請求の範囲］の各請求項に記載の発明である。
特許請求の範囲、明細書、図面等の用語の解釈上の疑義を解消すべく、以下用語の説明を行うこととする。
＜用語の説明＞
○育毛補助具とは、頭頂部等の頭皮の緊張を緩和し、頭皮への血流を促進させて脱毛を抑制し、育毛、養毛を図る器具をいう。
○本体部とは、人の両側頭部に取り付けられる伸縮性を有する素材からなる左右一対の平板体をいう。複数本のスリットにより、平板体は複数に区画され、長さ調整ベルト、頭皮引上げベルト等を固定するための挿通溝が形成されている。
○長さ調整ベルトとは、育毛補助具を着用する人の頭囲に適合するように、左右の本体部間の巾寸を調整するためのベルトをいう。非伸縮性又は伸縮性生地体からなる。
○固定ベルトとは、左右の本体部を側頭部に固定させるためのベルトをいう。非伸縮性又は伸縮性生地体からなる。
○頭皮引上げベルトとは、側頭部の頭皮を頭頂部に向けて引き上げるベルトをいう。頭皮の緊張、垂下及び頭筋のコリ（緊張）を解消する。非伸縮性又は伸縮性生地体からなる。
○穴とは、本体部が側頭部に強く密着し、滑落を防止し、かつ発汗や蒸れを抑制して、側頭部の頭皮の引上げを簡易に行うことを主目的として形成されるもので、大きさが同大又は異なる円形又は楕円の他各種図形１〜複数からなる。また網状体も含まれる。
○スリットとは、左右の本体部の上周縁から下方に向けて形成される分割溝をいう。少なくとも２以上のスリットにより本体部は区画される。
○挿通溝とは、長さ調整ベルト、頭皮引上げベルト等を挿通するために本体部に形成された細巾の溝をいう。
○固着具とは、長さ調整ベルト、頭皮引上げベルト等の一端を挿通溝を通して折り返し、該折り返された重合部を固着する止め具をいう。
○調整具とは、頭部に被着するとき左右の本体部の長さを調整するためのバックルをいう。
○係止具とは、左右の本体部に配設された長さ調整ベルト、頭皮引上げベルト等を本体部の中間で接合して係止する部材をいう。例えば、面ファスナー、鉤ホック等である。
課題を解決するための手段は、本願の特許請求の範囲の各請求項に記載の発明であり、その具体的な解決手段は、以下の通りである。
○第１の発明（請求項１に記載の発明）
上記の課題を解決するための第１の発明（請求項１に記載の発明）は、伸縮性を有する素材からなる左右一対の本体部（１０）、（２０）と、該本体部（１０）、（２０）の前方部に取り付けられる長さ調整ベルト（１１）、（２１）と、前記本体部（１０）、（２０）の後方部に取り付けられる固定ベルト（１２）、（２２）と、前記長さ調整ベルト（１１）、（２１）と前記固定ベルト（１２）、（２２）間の本体部（１０）、（２０）に配設される第１の頭皮引上げベルト（１３）、（２３）、第２の頭皮引上げベルト（１４）、（２４）、第３の頭皮引上げベルト（１５）、（２５）及び第４の頭皮引上げベルト（１６）、（２６）とから構成されたことを特徴とする育毛補助具（１００）である。
○第２の発明（請求項２に記載の発明）
上記の課題を解決するための第２の発明（請求項２に記載の発明）は、前記左右の本体部（１０）、（２０）のほぼ中央又は全面には側頭部への密着性、防滑性及び通気性を高めるための１〜複数の穴（１０ｈ）、（２０ｈ）を設けるか又は／及び網状としていることを特徴とする請求項１に記載された育毛補助具（１００）である。
○第３の発明（請求項３に記載の発明）
上記の課題を解決するための第３の発明（請求項３に記載の発明）は、前記左右の本体部（１０）、（２０）は、前記本体部（１０）、（２０）の上周縁から下方に向けて形成された複数のスリット（１０ｓ）、（２０ｓ）により複数に区画されると共に、前記区画には前記長さ調整ベルト（１１）、（２１）、固定ベルト（１２）、（２２）、第１の頭皮引上げベルト（１３）、（２３）、第２の頭皮引上げベルト（１４）、（２４）、第３の頭皮引上げベルト（１５）、（２５）及び第４の頭皮引上げベルト（１６）、（２６）を挿通するための挿通溝（１０ｍ）、（２０ｍ）が設けられていることを特徴とする請求項１又は請求項２に記載された育毛補助具（１００）である。
○第４の発明（請求項４に記載の発明）
上記の課題を解決するための第４の発明（請求項４に記載の発明）は、前記長さ調整ベルト（１１）、（２１）、固定ベルト（１２）、（２２）及び第１の頭皮引上げベルト（１３）、（２３）、第２の頭皮引上げベルト（１４）、（２４）、第３の頭皮引上げベルト（１５）、（２５）の一端は、それぞれ前記本体部（１０）、（２０）の前記挿通溝（１０ｍ）、（２０ｍ）に挿通され、固着具（Ｋ）によって固着されていることを特徴とする請求項１〜請求項３の何れかに記載された育毛補助具（１００）である。
○第５の発明（請求項５に記載の発明）
上記の課題を解決するための第５の発明（請求項５に記載の発明）は、長さ調整ベルト（１１）、（２１）には、長さ調整用の調整具（Ｂ）が備えられると共に、固定ベルト（１２）、（２２）、第１の頭皮引上げベルト（１３）、（２３）、第２の頭皮引上げベルト（１４）、（２４）、第３の頭皮引上げベルト（１５）、（２５）及び第４の頭皮引上げベルト（１６）、（２６）は、それぞれ雌雄何れかの面ファスナー（Ｍ１）、（Ｍ２）付きの帯状体か又は他の係止具が取り付けられた帯状体であることを特徴とする請求項１、請求項３又は請求項４の何れかに記載された育毛補助具（１００）である。
【発明の効果】
【０００７】
本発明に係る、は、上記のような特徴的構成用件から構成され、特徴的構成要件に応じた、以下のような本願発明特有の効果を奏する。
また、上記の各発明に応じた、上記のような特徴的構成要件から構成された育毛補助具（１００）によれば、本願発明の課題を十分解消することができた。
○第１の発明の効果・第１の発明によれば、伸縮性を有する素材からなる左右一対の本体部（１０）、（２０）と、該本体部（１０）、（２０）の前方部に取り付けられる長さ調整ベルト（１１）、（２１）と、前記本体部（１０）、（２０）の後方部に取り付けられる固定ベルト（１２）、（２２）と、前記長さ調整ベルト（１１）、（２１）と前記固定ベルト（１２）、（２２）間の本体部（１０）、（２０）に配設される第１の頭皮引上げベルト（１３）、（２３）、第２の頭皮引上げベルト（１４）、（２４）、第３の頭皮引上げベルト（１５）、（２５）及び第４の頭皮引上げベルト（１６）、（２６）とから構成されたことという特徴的な構成要件により、本発明が解決しようとする第１課題〜第５課題を達成することができ、当業者予測不可能な顕著な効果を奏することができた。
○第２の発明の効果・第２の発明によれば、前記左右の本体部（１０）、（２０）のほぼ中央又は全面には側頭部への密着性、防滑性及び通気性を高めるための１〜複数の穴（１０ｈ）、（２０ｈ）を設けるか又は／及び網状としていることという特徴的な構成要件により、本発明が解決しようとする第１課題〜第５課題を達成することができ、当業者予測不可能な顕著な効果を奏することができた。
○第３の発明の効果・第３の発明によれば、前記左右の本体部（１０）、（２０）は、前記本体部（１０）、（２０）の上周縁から下方に向けて形成された複数のスリット（１０ｓ）、（２０ｓ）により複数に区画されると共に、前記区画には前記長さ調整ベルト（１１）、（２１）、固定ベルト（１２）、（２２）、第１の頭皮引上げベルト（１３）、（２３）、第２の頭皮引上げベルト（１４）、（２４）、第３の頭皮引上げベルト（１５）、（２５）及び第４の頭皮引上げベルト（１６）、（２６）を挿通するための挿通溝（１０ｍ）、（２０ｍ）が設けられていることという特徴的な構成要件により、本発明が解決しようとする第１課題〜第５課題を達成することができ、当業者予測不可能な顕著な効果を奏することができた。
○第４の発明の効果・第４の発明によれば、前記長さ調整ベルト（１１）、（２１）、固定ベルト（１２）、（２２）及び第１の頭皮引上げベルト（１３）、（２３）、第２の頭皮引上げベルト（１４）、（２４）、第３の頭皮引上げベルト（１５）、（２５）の一端は、それぞれ前記本体部（１０）、（２０）の前記挿通溝（１０ｍ）、（２０ｍ）に挿通され、固着具（Ｋ）によって固着されていることという特徴的な構成要件により、本発明が解決しようとする第１課題〜第５課題を達成することができ、当業者予測不可能な顕著な効果を奏することができた。
○第５の発明の効果・第５の発明によれば、長さ調整ベルト（１１）、（２１）には、長さ調整用の調整具（Ｂ）が備えられると共に、固定ベルト（１２）、（２２）、第１の頭皮引上げベルト（１３）、（２３）、第２の頭皮引上げベルト（１４）、（２４）、第３の頭皮引上げベルト（１５）、（２５）及び第４の頭皮引上げベルト（１６）、（２６）は、それぞれ雌雄何れかの面ファスナー（Ｍ１）、（Ｍ２）付きの帯状体か又は他の係止具が取り付けられた帯状体であることという特徴的な構成要件により、本発明が解決しようとする第１課題〜第５課題を達成することができ、当業者予測不可能な顕著な効果を奏することができた。
【発明を実施するための最良の形態】
【０００８】
以下、本発明に係る、育毛補助具に関する最良の実施形態について、図面を参照しながら説明する。
図１は、本発明に係る、育毛補助具を人の頭部に被着時の形態を示す斜視図である。
図２は、同平面図である。
図３は、同左側本体部を示す側面図である。              
図４は、本発明に係る、育毛補助具を人の側頭部に着用時の正面断面図である。
図５は、同頭皮引上げベルトの他の使用態様を示す平面図である。
以下、本発明に係る、育毛補助具の実施形態と作用について、図面を参照しながら説明する。
１１１１１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
図１及び図２は、本発明における育毛補助具（１００）の実施形態を示す図である。本発明の最大の特徴は、育毛補助具（以下、補助具（１００）という）を人の頭部に被着する帽体状とし、本体部に取り付けられた複数の頭皮引上げベルトを介して左右側頭部の頭皮を上方に引き上げて前頭部、中央頭部及び後頭部の頭頂に皺襞を形成し、頭皮への血流を良好とする点にある。以下その詳細を説明する。左側本体部（以下、左本体（１０）という）と右側本体部（以下、右本体（２０という）は、伸縮性素材、例えば、平板状ゴム板を図１及び図３に示すように、ほぼ台形状に形成し、左右一対として機能するものであり、かつ左本体（１０）と右本体（２０）に取り付けられる部材、スリット（１０ｓ）及び挿通溝（１０ｍ）は対称的に設けられる。したがって、本発明における補助具（１００）の実施形態についての説明は、必要なとき以外は、左本体（１０）と、これに取り付けられる部材等を主として説明し、右本体（２０）についての説明は省略する。左本体（１０）の前方部には、補助具（１００）を被着する人の頭囲に適合するように、左右の本体間の巾寸を調整する調整具（例えば、バックルＢ）付きの左側長さ調整ベルト（以下、左調整ベルト（１１）という）が取り付けられ、また左本体（１０）と右本体（２０）の後方部には、左本体（１０）と右本体（２０）を後頭部に固定させるため左側固定ベルト（以下、左固定ベルト（１２）という）と右側固定ベルト（以下、右固定ベルト（２２）という）が備えられている。左ベルト（１１）と、左本体（１０）の後方部に取り付けられる左固定ベルト（１２）間の左本体（１０）には第１の左側頭皮引上げベルト（以下、第１左ベルト（１３）という）、第２の左側頭皮引上げベルト（以下、第２左ベルト（１４）という）、第３の左側頭皮引上げベルト（以下、第３左ベルト（１５）という）及び第４の左側頭皮引上げベルト（以下、第４左ベルト（１６）という）とから構成されている。前記左固定ベルト（１２）、第１左ベルト（１３）、第２左ベルト（１４）、第３左ベルト（１５）及び第４左ベルト（１６）は、何れも基体に雌雄何れかの面ファスナー（Ｍ１又はＭ２）が取り付けられ右本体（２０）に取り付けられた各右ベルト（２４〜２６）と強く係止される。
２２２２２＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
図３は、左本体（１０）の側面図である。図１〜図３に示すように、左本体（１０）は、厚さが約３ｍｍのほぼ台形状をなしており、伸縮性を有する素材、例えば、合成ゴム等を素材とする平板体が好ましい。左本体（１０）の上辺の長さＬ１は約１００〜１２０ｍｍ、下辺の長さＬ２は約１６０〜１８０ｍｍ、高さＨ
は約１００〜１１０ｍｍとしている。左本体（１０）の中央には長楕円状の穴（１０ｈ）が形成されている。穴（１０ｈ）は、補助具（１００）を被着した際に左側頭部への密着性を高め、頭髪による滑落を防止し、また夏季にあっては発汗や蒸れを防止すると共に側頭部の頭皮を頭頂部等への引上げを容易にするためである。穴（１０ｈ）の形状は、図示する長楕円形に限定するものではなく、長方形、四角形又はその他の各種形状とすることができる。また穴（１０ｈ）は図示しないが多数の小穴、中穴を配設することもできる。さらに体質的に多汗性の人向けに左本体（１０）を網状体とすることも可能である。
３３３３３＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
図１及び図２の左本体（１０）に示すように、左本体（１０）の上周縁から複数のスリット（１０ｓ）が形成されている。左本体（１０）は各スリット（１０ｓ）により、複数に分割されて区画化され、左本体（１０）の前方から後方へ順に左調整ベルト（１１）が取り付けられる左調整部（１０Ｌ）、第１左ベルト（１３）が取り付けられる第１左区画（１０Ａ）、第２左ベルト（１４）が取り付けられる第２左区画（１０Ｂ）、第３左ベルト（１５）が取り付けられる第３左区画（１０Ｃ）、第４左ベルト（１６）が取り付けられる第４左区画（１０Ｄ）及び左固定ベルト（１２）が取り付けられる左固定部（１０Ｋ）が形成される。左本体（１０）が複数に分割されることにより、補助具（１００）の着用者は、所望する頭部の部位（脱毛が気になる頭頂部）に応じて各区画に取り付けられた各引上げベルトによる引上力の強弱を随時調整することができる。
４４４４４＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
図２他に示すように区画化された左本体（１０）の各部の上周縁近傍には、各ベルトを挿通する挿通溝（１０ｍ）が形成されている。挿通溝（１０ｍ）は細巾の溝であり、少なくとも各ベルトの巾寸法よりも大とされている。左調整部（１０Ｌ）の挿通溝（１０ｍ）には左調整ベルト（１１）が挿通され、第１左区画（１０Ａ）には第１左ベルト（１３）が挿通され、第２左区画（１０Ｂ）には第２左ベルト（１４）が挿通され、第３左区画（１０Ｃ）には第３左ベルト（１５）が挿通され、第４左区画（１０Ｄ）には第４左ベルト（１６）が挿通され、左固定部（１０Ｋ）には左固定ベルト（１２）が挿通される。挿通溝（１０ｍ）に挿通された各ベルトの一端は、折り返された後、固着具（Ｋ）、例えば、カシメ鋲又はアメリカンホック等によって固着されている。
５５５５５＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
図１他に示すように、左固定ベルト（１２）と右固定ベルト（２２）、第１左ベルト（１３）と第１右ベルト（２３）、第２左ベルト（１４）と第２右ベルト（２４）、第３左ベルト（１５）と第３右ベルト（２５）、第４左ベルト（１６）と第４右ベルト（２６）は、着脱自在の係止具、例えば雌雄一体の面ファスナー（Ｍ１）、（Ｍ２）が約２５ｍｍ巾の基体（帯状体）に互いに対面し、着脱自在となるように縫着されている。左調整ベルト（１１）と右調整ベルト（２１）は、１本の輪状となっており、右調整ベルト（２１）側の一端のみが折り返された後、固着具（Ｋ）、例えば、カシメ鋲等によって固着され、左調整ベルト（１１）は、調整具（バックルＢ）を介して左調整部（１０Ｌ）に設けられた挿通溝（１０ｍ）をスライド可能としている。上述した各ベルトは伸縮性又は非伸縮性生地体からなっている。
【０００９】
次に、本発明に係る、補助具（１００）の使用態様について図面を参照して説明する。補助具（１００）を被着するには、まず調整具（バックルＢ）を左右の指先で左調整ベルト（１１）と右調整ベルト（２１）をスライドさせて左右の本体（１０）、（２０）の巾寸を調整した後（図１、図４他参照）、左調整ベルト（１１）と右調整ベルト（２１）を眉の上部に位置させて（図４参照）、補助具（１００）全体を頭部に被着する。つぎに左固定ベルト（１２）と右固定ベルト（２２）を雌雄一体の面ファスナー（Ｍ１）、（Ｍ２）で係止する。続いて第１区画（１０Ａ）、（２０Ａ）の第１左ベルト（１３）と第１右ベルト（２３）を左右の両手でそれぞれ斜め上方に向けて引き上げて所望する位置で雌雄一体の面ファスナー（Ｍ１）、（Ｍ２）で係止する。これにより前頭側部の頭皮が左右の本体（１０）、（２０）によって頭頂に皺襞が形成され、この部位への血流がよくなり、毛根が活性化される。続いて第２区画（１０Ｂ）、（２０Ｂ）の第２左ベルト（１４）と第２右ベルト（２４）を左右の両手でそれぞれ斜め上方に向け、図４に示す→ＵＰのように引き上げ、所望する位置で雌雄一体の面ファスナー（Ｍ１）、（Ｍ２）で係止する。これにより中央頭部の頭皮が左右の本体（１０）、（２０）によって頭頂に皺襞が形成され、この部位への血流がよくなり、毛根が活性化される。続いて第３区画（１０Ｃ）、（２０Ｃ）の第３左ベルト（１５）と第３右ベルト（２５）を左右の両手でそれぞれ斜め上方に向けて引き上げ、所望する位置で雌雄一体の面ファスナー（Ｍ１）、（Ｍ２）で係止する。これにより中央頭部の頭皮が左右の本体（１０）、（２０）によって頭頂に皺襞が形成され、この部位への血流がよくなり、毛根が活性化される。さらに第４区画（１０Ｄ）、（２０Ｄ）の第４左ベルト（１６）と第４右ベルト（２６）を左右の両手でそれぞれ斜め上方に向けて引き上げられ、所望する位置で雌雄一体の面ファスナー（Ｍ１）、（Ｍ２）で係止する。これにより後頭側部の頭皮が左右の本体（１０）、（２０）によって頭頂に皺襞が形成され、この部位への血流がよくなり、毛根が活性化される。以上で補助具（１００）の頭部への被着作業は終了する。補助具（１００）の着用者は、読書、食事等はもちろん就寝することも可能である。
【００１０】
図５は、補助具（１００）における、各頭皮引上げベルトの他の使用態様を示している。図示するように、左本体（１０）の第１左ベルト（１３）と右本体（２０）第２右ベルト（２４）を左右の両手でそれぞれ斜め上方に向けて引き上げて所望する位置で雌雄一体の面ファスナー（Ｍ１）、（Ｍ２）で係止する。そして左本体（１０）の第２左ベルト（１４）と右本体（２０）の第１右ベルト（２３）を左右の両手でそれぞれ斜め上方に向けて引き上げて所望する位置で雌雄一体の面ファスナー（Ｍ１）、（Ｍ２）で係止する。これにより図示するように、各ベルトはＸ字状を形成することができ、左右の側頭部における頭筋及び頭皮への刺激と柔軟性を付与することになり、頭頂部に形成された皺襞への血流もさらに好適となる。
【００１１】
以上、図面を参照してこの発明の実施の形態を説明したが、この発明は、図示した実施の形態のものに限定されない。図示した実施の形態に対して、この発明と同一の範囲内において、あるいは、均等の範囲内において、種々の修正や変形を加えることが可能である。例えば、左右の本体（１０）、（２０）の形状や穴（１０ｈ）、（２０ｈ）の大きさ、数等は図示したものに限定されない。また図示していないが、左右の本体（１０）、（２０）を網状体とすることも可能であり、梅雨〜夏季等のように頭部の発汗が激しくなる季節には、通風性がよい網状体を使用することが好ましい。
【図面の簡単な説明】
【００１２】
【図１】図１は、本発明に係る、育毛補助具を人の頭部に被着時の形態を示す斜視図である。
【図２】図２は、同平面図である。
【図３】図３は、同左側本体部を示す側面図である。
【図４】図４は、本発明に係る、育毛補助具を人の側頭部に着用時の正面断面図である。
【図５】図５は、同頭皮引上げベルトの他の使用態様を示す平面図である。
【符号の説明】
【００１３】
１００…育毛補助具
１０…左側本体部
２０…右側本体部
１１…左側長さ調整ベルト
２１…右側長さ調整ベルト
１２、２２…固定ベルト
１３…第１の左側頭皮引上げベルト
２３…第１の右側頭皮引上げベルト
１４…第２の左側頭皮引上げベルト
２４…第２の右側頭皮引上げベルト
１５…第３の左側頭皮引上げベルト
２５…第３の右側頭皮引上げベルト
１６…第４の左側頭皮引上げベルト
２６…第４の右側頭皮引上げベルト
１０ｈ…左側本体部の穴
２０ｈ…右側本体部の穴
１０ｓ…左側本体部のスリット
２０ｓ…右側本体部のスリット
１０ｍ…左側本体部の挿通溝
２０ｍ…右側本体部の挿通溝
Ｋ…固着具
Ｂ…調整具
Ｍ１、Ｍ２…面ファスナー
【図１】
2014144030.tif 000003
【図２】
2014144030.tif 000004
【図３】
2014144030.tif 000005
【図４】
2014144030.tif 000006
【図５】
2014144030.tif 000007